(57)【要約】【課題】読影情報に応じて、医用画像を読影に適した読影用画像に変更し得る医用画像表示方法、医用画像管理装置及び医用画像表示装置を提供する。【解決手段】医用画像を表示画面上に表示する医用画像表示方法であって、医用画像に対応付けられたオーダ情報から読影情報を取得する工程と、読影情報と表示画面上に表示する画面の構成に関する画面構成情報とが対応付けられた処理テーブルを参照して、取得した読影情報に対応する画面構成情報を決定する工程と、決定した画面構成情報に基づいて、医用画像の画面構成を変更した読影用画像を生成する工程と、を含む医用画像表示方法とする。【選択図】図５
2009226137.tif 000002
【特許請求の範囲】
【請求項１】
医用画像を表示画面上に表示する医用画像表示方法であって、
前記医用画像に対応付けられたオーダ情報から読影情報を取得する工程と、
前記読影情報と前記表示画面上に表示する画面の構成に関する画面構成情報とが対応付けられた処理テーブルを参照して、前記取得された読影情報に対応する画面構成情報を決定する工程と、
前記決定された画面構成情報に基づいて、読影用画像を生成する工程と、
を含む医用画像表示方法。
【請求項２】
前記読影用画像を外部端末に送信する工程と、を更に含む請求項１に記載の医用画像表示方法。
【請求項３】
前記読影用画像を前記表示画面上に表示する工程と、を更に含む請求項１又は２に記載の医用画像表示方法。
【請求項４】
前記読影情報は、読影依頼の有無、撮影装置の種類、撮影条件又は患者の病名を含む請求項１〜３の何れか一項に記載の医用画像表示方法。
【請求項５】
前記画面構成情報は、レイアウト、文字のサイズ又は色のうち、少なくとも何れか１つを含む表示形態に関する設定情報である請求項１〜４の何れか一項に記載の医用画像表示方法。
【請求項６】
医用画像を管理する医用画像管理装置であって、
オーダ情報に含まれる読影情報と表示画面上に表示する画面の構成に関する画面構成情報とが対応付けられた処理テーブルを記憶する記憶手段と、
前記処理テーブルを参照して前記読影情報に対応する画面構成情報を決定し、当該決定された画面構成情報に基づいて、読影用画像を生成する管理制御手段と、
前記読影用画像を外部端末に送信する通信手段と、
備える医用画像管理装置。
【請求項７】
医用画像を表示する医用画像表示装置であって、
オーダ情報に含まれる読影情報と表示画面上に表示する画面の構成に関する画面構成情報とが対応付けられた処理テーブルを記憶する記憶手段と、
前記処理テーブルを参照して前記読影情報に対応する画面構成情報を決定し、当該決定された画面構成情報に基づいて、読影用画像を生成する表示制御手段と、
前記読影用画像を表示画面上に表示する表示手段と、
備える医用画像表示装置。
【発明の詳細な説明】
【技術分野】
【０００１】
本発明は、医用画像表示方法、医用画像管理装置及び医用画像表示装置に関する。
【背景技術】
【０００２】
近年、医療施設において医用画像管理システムが普及している。
医用画像管理システムとは、医用画像の生成、画像処理、閲覧表示等、画像診断に関する一連のフローを所定の標準規格を用いて可能とするシステムをいう。なお、所定の標準規格には、例えばＤＩＣＯＭ（Digital Image and Communications in Medicine）やＨＬ７（Health Level seven）等がある。
【０００３】
上記医用画像管理システムにおける読影の処理フローは次の通りである。
まず、ＨＩＳ（Hospital Information System）からＲＩＳ（Radiology Information System）に読影依頼等の情報（以下、「読影情報」という）を含んだオーダ情報が送信される。
そして、オーダ情報はＲＩＳに接続された読影端末に送信される。また、読影依頼の対象となった患者の医用画像は、各種モダリティ又は医用画像を一元管理するデータ管理サーバから読影端末に送信される。読影医は、オーダ情報に含まれる読影情報を参照して読影に必要な医用画像を抽出し、抽出した医用画像を読影端末の表示画面上に表示する。また、読影医は、必要に応じて医用画像に対し３Ｄ表示等の加工を行い、これを表示画面上に表示する。そして、読影医は読影レポートを作成し、作成した読影レポートを依頼医等に送信する。
ここで、読影端末の表示画面上に表示される読影情報や医用画像は、読影医にとって見易く、かつ、迅速な読影を行い得る表示形態であることが望ましい。
【０００４】
特許文献１によれば、表示画面上に表示される文字サイズ等をユーザの視覚特性に応じて切り替える表示装置が開示されている。よって、読影医の年齢に応じて表示する文字サイズを拡大又は縮小することができ、幅広い年齢層に対して良好な視認性及び情報伝達性を確保することができる。
【特許文献１】特願平１０−３１９９４０号公報
【発明の開示】
【発明が解決しようとする課題】
【０００５】
しかし、特許文献１の表示装置では、表示画面上に表示される文字情報を見易くすることはできるが、医用画像を読影に適した表示形態で表示画面上に表示することはできない。結局、読影医は読影情報に応じて読影に必要な医用画像を抽出したり、医用画像を加工等したりしなくてはならい。よって、読影の迅速化を図ることはできない。
【０００６】
本発明の目的は、読影情報に応じて、医用画像を読影に適した読影用画像に変更し得る医用画像表示方法、医用画像管理装置及び医用画像表示装置を提供することである。
【課題を解決するための手段】
【０００７】
請求項１に記載の発明によれば、
医用画像を表示画面上に表示する医用画像表示方法であって、
前記医用画像に対応付けられたオーダ情報から読影情報を取得する工程と、
前記読影情報と前記表示画面上に表示する画面の構成に関する画面構成情報とが対応付けられた処理テーブルを参照して、前記取得された読影情報に対応する画面構成情報を決定する工程と、
前記決定された画面構成情報に基づいて、読影用画像を生成する工程と、
を含む医用画像表示方法が提供される。
【０００８】
請求項２に記載の発明によれば、請求項１に記載の発明において、
前記読影用画像を外部端末に送信する工程と、を更に含む医用画像表示方法が提供される。
【０００９】
請求項３に記載の発明によれば、請求項１又は２に記載の発明において、
前記読影用画像を前記表示画面上に表示する工程と、を更に含む医用画像表示方法が提供される。
【００１０】
請求項４に記載の発明によれば、請求項１〜３の何れか一項に記載の発明において、
前記読影情報は、読影依頼の有無、撮影装置の種類、撮影条件又は患者の病名を含む医用画像表示方法が提供される。
【００１１】
請求項５に記載の発明によれば、請求項１〜４の何れか一項に記載の発明において、
前記画面構成情報は、レイアウト、文字のサイズ又は色のうち、少なくとも何れか１つを含む表示形態に関する設定情報である医用画像表示方法が提供される。
【００１２】
請求項６に記載の発明によれば、
医用画像を管理する医用画像管理装置であって、
オーダ情報に含まれる読影情報と表示画面上に表示する画面の構成に関する画面構成情報とが対応付けられた処理テーブルを記憶する記憶手段と、
前記処理テーブルを参照して前記読影情報に対応する画面構成情報を決定し、当該決定された画面構成情報に基づいて、読影用画像を生成する管理制御手段と、
前記読影用画像を外部端末に送信する通信手段と、
備える医用画像管理装置が提供される。
【００１３】
請求項７に記載の発明によれば、
医用画像を表示する医用画像表示装置であって、
オーダ情報に含まれる読影情報と表示画面上に表示する画面の構成に関する画面構成情報とが対応付けられた処理テーブルを記憶する記憶手段と、
前記処理テーブルを参照して前記読影情報に対応する画面構成情報を決定し、当該決定された画面構成情報に基づいて、読影用画像を生成する表示制御手段と、
前記読影用画像を表示画面上に表示する表示手段と、
備える医用画像表示装置が提供される。
【発明の効果】
【００１４】
本発明によれば、医用画像の画面構成を読影情報に応じて変更することができる。変更して生成される読影用画像は、読影に適した画面構成で表示画面上に表示される。よって、読影医は表示画面上に表示された読影用画像に基づいて、迅速な読影を行うことができる。
【発明を実施するための最良の形態】
【００１５】
以下、本発明に係る医用画像表示方法、医用画像管理装置及び医用画像表示装置の最適な実施形態について、図面を用いて詳細に説明する。
【００１６】
図１に、本実施形態におけるデータ管理システム１の全体構成を示す。
図１に示すように、データ管理システム１は、ＨＩＳ１０、ＲＩＳ２０、モダリティ３０、データ管理サーバ４０、読影端末５０等を備えて構成される。
また、ネットワークＮ１を介して、ＨＩＳ１０とＲＩＳ２０とはＨＬ７による情報の送受信が可能であり、ネットワークＮ２を介して、モダリティ３０、データ管理サーバ４０及び読影端末５０は互いにＤＩＣＯＭによる情報の送受信が可能である。
【００１７】
ＨＩＳ１０は、オーダ情報をＲＩＳ１０に送信する。オーダ情報には、患者の氏名や患者ＩＤ等の基本情報が含まれる他、読影依頼の有無、撮影装置（モダリティ）の種類、撮影条件又は患者の病名（以下、「読影情報」という）が含まれる。なお、撮影条件には撮影部位や撮影方向が含まれる。
ＲＩＳ２０は、ＨＩＳ１０から取得したオーダ情報をＤＩＣＯＭによるオーダ情報としてモダリティ３０又は読影端末５０に送信する。
モダリティ３０は、ＲＩＳ２０から取得したオーダ情報に基づいて必要な部位や方向の断層写真を撮影し、医用画像を生成する。そして、モダリティ３０は生成した医用画像をデータ管理サーバ４０又は読影端末５０に送信する。
【００１８】
データ管理サーバ４０は、モダリティ３０から取得した医用画像とオーダ情報とを対応付けて保存管理する。また、データ管理サーバ４０は、保存管理する医用画像及びオーダ情報を読影端末５０に送信する。
読影端末５０は、データ管理サーバ４０等から取得した医用画像及びオーダ情報に基づいて、読影に必要な医用画像の抽出又は３Ｄ表示等の医用画像の加工を行い、読影に最適な医用画像（以下、「読影用画像」という）を表示画面上に表示する。
【００１９】
次に、図２を参照して、データ管理サーバ４０の機能的構成について説明する。
データ管理サーバ４０は、サーバ制御部４１、記憶部４２、表示部４３、入力部４４、通信部４５、Ｉ／Ｆ部４６、ＣＤ／ＤＶＤドライブ４７等を備えて構成される。
【００２０】
サーバ制御部４１は、記憶部４２に記憶されている各種プログラムとの協働により、各部を集中制御する。また、サーバ制御部４１は、記憶部４２に記憶されているオーダ情報から、読影情報を抽出する等の処理を行う。サーバ制御部４１が行う処理については後述する。
【００２１】
記憶部４２は、ＨＤＤ（Hard Disk Drive）や半導体の不揮発性メモリ等を備えて構成される。記憶部４２は各種プログラムを記憶する他、医用画像とオーダ情報とを対応付けて記憶し、また、処理テーブルを記憶する。
【００２２】
図３に、記憶部４２が記憶する処理テーブルの一例を示す。
処理テーブルＴは、読影情報と画面構成情報とが対応付けて構成される。画面構成情報とは、医用画像を表示画面上に表示する際のレイアウト、文字サイズ、枠サイズ、アノテーションサイズ等の表示形態に関する設定情報である。
読影情報には、上述したように、読影依頼の有無、モダリティの種類、撮影条件、病名等がある。また、撮影条件には撮影部位や撮影方向が含まれるが、何れか一方であってもよく、図３に示す処理テーブルＴでは撮影部位のみを画面構成情報に対応付けている。
なお、処理テーブルＴにおいて、異常部位は頭部、胸部、腹部で構成されているがこれに限らず、頸部や脊椎等を含めてもよい。また、病名についても同様に、他の病名を処理テーブルＴに含ませてもよい。
【００２３】
処理テーブルＴによれば、読影依頼が「なし」の場合、画面構成情報は「パターン１」に決定される。また、読影依頼が「あり」の場合であって、モダリティが「ＣＲ」、撮影部位が「頭部」、病名が「骨折」である場合、画面構成情報は「パターン２」に決定される。上記読影情報のうち、モダリティが「ＣＴ」の場合であれば、画面構成情報は「パターン３」決定される。なお、処理テーブルＴが画面構成情報を決定するに際し、何れの読影情報を優先的に処理するかは予め定められているものとする。
【００２４】
処理テーブルＴにより決定される画面構成情報は、読影用画像を生成する際に用いられる。読影用画像とは、画面構成情報に含まれるレイアウト等の設定情報に基づいて構成された読影用の医用画像である。なお、読影用画像による画面例については後述する。
【００２５】
図２に戻り、表示部４３は、ＣＲＴ（Cathode Ray Tube）又はＬＣＤ（Liquid Crystal Display）等のモニタを備えて構成される。表示部４３は、サーバ制御部４１から出力される表示信号を受信し、受信した表示信号に基づいて各種表示画面を表示する。
【００２６】
入力部４４は、各種入力キーを備えたキーボードと、マウス等のポインティングデバイス等を備えて構成される。入力部４４は、ユーザにより任意のキーが押下されると入力信号を生成し、生成した入力信号をサーバ制御部４１に出力する。サーバ制御部４１は、入力信号を受信して、受信した入力信号に応じた各種処理を実行することになる。入力信号に応じた各種処理には、例えば画面構成情報に基づいて読影用画像を生成する処理がある。
【００２７】
通信部４５は、ネットワークインターフェース等を備えて構成される。通信部４５は、読影端末５０から送信される指示情報を受信し、受信した指示情報に応じた医用画像及び医用画像に対応付けたオーダ情報を読影端末５０に送信する。また、通信部４５は、必要に応じて読影用画像を読影端末５０に送信する。
【００２８】
Ｉ／Ｆ部４６は、ＣＤ／ＤＶＤドライブ４７に接続され、インターフェースとしてＣＤ／ＤＶＤドライブ４７とデータの入出力を行う。
【００２９】
ＣＤ／ＤＶＤドライブ４７は、ＣＤやＤＶＤ等の記録媒体（メディア）Ｍ、光ピックアップ、スピンドリルモータ等を備えて構成される。
ＣＤ／ＤＶＤドライブ４７は、メディアＭに記憶された医用画像等を読み取り、又はメディアＭに医用画像等を書き込む。なお、ＣＤ／ＤＶＤドライブ４７は、ＰＤＩ（Portable Data for Imaging）により医用画像をメディアＭに書き込む。ＰＤＩにより書き込まれた医用画像であれば、各医療機関の相互間で簡易に医用画像の交換を行い得る。
【００３０】
図４に、読影端末５０の機能的構成を示す。
図４に示すように、読影端末５０は、読影制御部５１、記憶部５２、表示部５３、入力部５４、通信部５５、Ｉ／Ｆ部５６、ＣＤ／ＤＶＤドライブ５７等を備えて構成される。基本的構成は、データ管理サーバ４０と同様であるため、異なる点について以下に説明する。
【００３１】
読影制御部５１は、通信部５５を介して医用画像及びオーダ情報を取得する。そして、読影制御部５１は、取得したオーダ情報から読影情報を抽出する等の処理を行う。読影制御部５１が行う処理については後述する。
記憶部５２は、各種プログラムを記憶する他、処理テーブルＴを記憶する。また、通信部５５を介して取得した医用画像及びオーダ情報を記憶する。
表示部５３は、読影制御部５１から出力される表示信号を受信し、受信した表示信号に基づいて各種画面を表示する。表示する各種表示画面には、画面構成情報に基づいて生成された読影用画像による画面がある。
通信部５５は、医用画像を要求する指示や各種要求指示をデータ管理サーバ４０に送信する。また、データ管理サーバ４０から送信された医用画像、オーダ情報、読影用画像等を受信する。なお、通信部５５は、モダリティ３０から医用画像を取得し、ＲＩＳ２０からオーダ情報を取得してもよい。
【００３２】
次に、図５及び図６を参照して、データ管理システム１により行われる処理について説明する。なお、データ管理サーバ４０と読影端末５０とは、ネットワークＮを介して相互に通信可能であることを前提とするが、相互に通信できない場合にはメディアＭの搬送により同様の処理を行うことが可能である。
まず、図５を参照して、データ管理サーバ４０が読影用画像を生成する場合について説明する。
【００３３】
読影制御部５１は、ビューアを起動するか否かについて判断する（ステップＳ１）。ビューアとは、記憶部５２が記憶する医用画像閲覧用のアプリケーションである。ビューアを起動する場合（ステップＳ１；Ｙ）、読影制御部５１は、ビューアの設定に応じた初期画面情報をデータ管理サーバ４０に対して要求する（ステップＳ２）。
【００３４】
サーバ制御部４１は、読影端末５０から要求された初期画面情報を記憶部４２から取得し、取得した初期画面情報を読影端末５０に送信する（ステップＳ３）。
【００３５】
読影制御部５１は、データ管理サーバ４０から送信された初期画面情報を表示部５３に表示させる（ステップＳ４）。
表示部５３に表示される初期画面情報には、患者の氏名等が含まれる。なお、初期画面情報に含まれる患者の医用画像はデータ管理サーバ４０により保存格納されているものとする。
入力部５４を介して初期画面情報に含まれる患者が選択され、選択された患者の医用画像を表示する指示があるまで、読影制御部５１は待機する（ステップＳ５；Ｎ）。
選択された医用画像を表示する場合（ステップＳ５；Ｙ）、読影制御部５１は、選択された患者の医用画像及び医用画像に対応付けられたオーダ情報をデータ管理サーバ４０に対して要求する（ステップＳ６）。
【００３６】
サーバ制御部４１は、読影端末５０から要求された医用画像及びオーダ情報を記憶部４２から取得し、取得した医用画像及びオーダ情報を読影端末５０に送信する（ステップＳ７）。
【００３７】
読影制御部５１は、データ管理サーバ４０から送信された医用画像又はオーダ情報を表示部５３に表示させる（ステップＳ８）。
そして、読影制御部５１は、表示部５３に表示させた医用画像又はオーダ情報について、読影用画像による画面（以下、単に「読影用画面」という）に切り替える指示を入力部５４から受信するまで待機する（ステップＳ９；Ｎ）。
読影用画面に切り替える指示を受信した場合（ステップＳ９；Ｙ）、読影制御部５１は、画面の切替要求と、現在表示している医用画像又はオーダ情報について患者を識別し得る情報（例えば、患者ＩＤ）とをデータ管理サーバ４０に送信する（ステップＳ１０）。
【００３８】
サーバ制御部４１は、読影端末５０から送信された切替要求と患者ＩＤとに基づいて、読影用画像を生成する。サーバ制御部４１は、読影用画像を生成するに際して、以下の手順で処理を行う。
【００３９】
まず、サーバ制御部４１は、記憶部４２が記憶する医用画像から要求のあった患者の医用画像及びオーダ情報を取得し、取得したオーダ情報に含まれる読影情報を抽出する（ステップＳ１１）。読影情報とは、図３において説明したように、撮影条件や病名等である。例えば、サーバ制御部４１は、オーダ情報からモダリティ「ＭＲ」、撮影条件「頭部」、病名「脳溢血」という情報を抽出する。
【００４０】
次に、サーバ制御部４１は、処理テーブルＴを参照して、読影用画像の生成に際して用いる画面構成情報を決定する（ステップＳ１２）。なお、決定した画面構成情報と抽出した読影情報とは、処理テーブルＴにおいて対応付けられているものとする。
【００４１】
そして、サーバ制御部４１は、決定した画面構成情報に基づいて、読影用画像を生成する（ステップＳ１３）。
以上の処理を行った後、サーバ制御部４１は、生成した読影用画像を読影端末５０に送信する（ステップＳ１４）。
【００４２】
読影制御部５１は、データ管理サーバ４０から送信された読影用画像を表示部５３に表示させ（ステップＳ１５）、本処理を終了する。
【００４３】
次に、図６を参照して、読影端末５０が読影用画像を生成する場合について説明する。なお、図６に示すフロー図は、ステップＳ２９における処理まで図５に示した処理と同様である。よって、ステップＳ２９以降の処理について説明する。
【００４４】
読影制御部５１は、表示部５３に表示させた医用画像又はオーダ情報について、読影用画像の表示に切り替える指示を入力部５４から受信するまで待機する（ステップＳ２９；Ｎ）。
読影用画像の表示に切り替える指示を受信した場合（ステップＳ２９；Ｙ）、読影制御部５１は、表示部５３に現在表示している医用画像に対応付けられたオーダ情報から、読影情報を抽出する（ステップＳ３０）。
【００４５】
読影制御部５１は、処理テーブルＴを参照して、読影用画像の生成に際して用いる画面構成情報を決定する（ステップＳ３１）。なお、決定した画面構成情報と抽出した読影情報とは、処理テーブルＴにおいて対応付けられているものとする。
【００４６】
読影制御部５１は、決定した画面構成情報に基づいて、読影用画像を生成する（ステップＳ３２）。
そして、読影制御部５１は、生成した読影用画像を表示部５３に表示させて（ステップＳ３３）、本処理を終了する。
【００４７】
なお、読影用画像の表示に際し、図５及び図６において説明してきた処理に限られない。例えば、読影端末５０でビューアを起動した後（ステップＳ１、Ｓ２１）、読影用画像を初期画面として表示させる（ステップＳ１５、Ｓ３３）としてもよい。この場合、読影端末５０は、初期画面情報を要求するとき（ステップＳ２、Ｓ２２）、合わせて切替要求を行う（ステップＳ１０、Ｓ２９；Ｙ）こととすればよい。
【００４８】
図７を参照して、読影用画面について説明する。
読影用画面Ｇ１は、図５のステップＳ１５又は図６のステップＳ３３で表示部５３に表示される画面である。また、読影用画面Ｇ１は、読影用画像の表示に切り替えるための読影用画面切替ボタンＩＣを備えて構成される。ユーザにより読影用画面切替ボタンＩＣが押下されると図７に示す読影用画面Ｇ１に切り替わる。なお、初期画面として読影用画面Ｇ１を表示させる場合、読影用画面切替ボタンＩＣは不要である。
【００４９】
読影用画面Ｇ１に表示される患者の医用画像は、オーダ情報に含まれる読影情報に基づいて、医用画像について各種処理が予め施された医用画像である。各種処理とは、例えばレイアウトの変更、文字サイズや枠サイズ等の拡大縮小、３Ｄ表示の加工等がある。各種処理は、サーバ制御部４１又は読影制御部５１が読影用画像を生成する際に行われる。
【００５０】
以上のように、本実施形態によれば、医用画像から読影用画像を生成することができる。読影用画像は読影医にとって読影に最適な画面構成となっており、読影医は読影の際に必要な医用画像の加工等の手間を省くことができる。よって、読影の迅速化を図ることができる。
【００５１】
また、データ管理サーバ４０が読影用画像を生成する場合、データ管理サーバ４０は生成した読影用画像を読影端末５０に送信する。そして、読影端末５０は読影用画像を表示することができる。つまり、読影端末５０は読影用画像を生成する機能を備えずとも読影用画像を表示することができる。よって、読影端末５０が複数存在する場合、データ管理システム１を構築する際のコストを低く抑えることができる。
【００５２】
また、読影端末５０が読影用画像を生成する場合、データ管理サーバ４０は医用画像及びオーダ情報を読影端末５０に送信するだけでよい。つまり、データ管理サーバ４０は読影用画像を生成する必要はない。よって、読影用画像を生成する機能を備えていない既設のデータ管理サーバ４０であっても、データ管理システム１を構築することができる。
【００５３】
また、医用画像から読影用画像を生成する際に用いる読影情報には、読影依頼の有無、モダリティの種類、撮影条件又は患者の病名が含まれる。なお、読影情報はオーダ情報に含まれる。オーダ情報は、データ管理サーバ４０から読影端末５０に送信されるとしてもよいし、ＲＩＳ３０から読影端末５０に送信されるとしてもよい。
【００５４】
また、医用画像から読影用画像を生成する際に用いる画面構成情報は、レイアウト、文字サイズ、枠サイズ、アノテーションサイズ、数字サイズ、記号サイズ、色等を含む表示形態に関する設定情報である。
【図面の簡単な説明】
【００５５】
【図１】データ管理システムの全体構成を示す図である。
【図２】データ管理サーバの機能的構成を示す図である。
【図３】処理テーブルの一例を示す図である。
【図４】読影端末の機能的構成を示す図である。
【図５】データ管理サーバが読影用画像を生成する場合のフロー図である。
【図６】読影端末が読影用画像を生成する場合のフロー図である。
【図７】読影用画面の一例を示す図である。
【符号の説明】
【００５６】
１    データ管理システム
１０  ＨＩＳ
２０  ＲＩＳ
３０  モダリティ
４０  データ管理サーバ
５０  読影端末
４１  サーバ制御部
４２  記憶部
４５  通信部
５０  読影端末
５１  読影制御部
５２  記憶部
５３  表示部
５４  入力部
【図１】
2009226137.tif 000003
【図２】
2009226137.tif 000004
【図３】
2009226137.tif 000005
【図４】
2009226137.tif 000006
【図５】
2009226137.tif 000007
【図６】
2009226137.tif 000008
【図７】
2009226137.tif 000009